(57)【要約】【課題】表示された画像において文字や図形の視認性を向上する。【解決手段】互いに異なる幅の白色の縁取りで輪郭を囲まれた第１パターンを、第１色の背景上にそれぞれ表す複数の第１画像の各々で第１パターンの輪郭を囲む縁取りが利用者に認識されたか否かを示す入力を受ける第１受付部と、縁取りが認識されないことが示された第１画像に含まれる縁取りの中で他の第１画像に含まれる縁取りの幅よりも広い第１幅を検出する第１検出部と、第１幅で縁取られた第１パターンを互いに異なる色の背景上に表す複数の第２画像の各々において、第１パターンの背景が、利用者により白色として認識されたか否かを示す入力を受ける第２受付部と、背景が白色として認識された第２画像の背景の中で他の第２画像の背景よりも暗い色を第２色として検出する第２検出部と、白色の背景上に、第２パターン黒色で表す第３画像を、第２パターンの輪郭を囲む第１幅の白色の縁取りを有し、第２色の背景を有する第４画像に変換する変換部とを備える。【選択図】      図１
2015152859.tif 000002
【特許請求の範囲】
【請求項１】
互いに異なる幅の白色の縁取りで輪郭を囲まれた文字または図形である第１パターンを、白色以外の第１色の背景上にそれぞれ表す複数の第１画像の各々において、前記第１パターンの輪郭を囲む縁取りが、利用者により認識されたか否かを示す入力を受ける第１受付部と、
前記第１受付部で受けた入力により、前記縁取りが認識されないことが示された前記第１画像に含まれる縁取りのうち、他の第１画像に含まれる縁取りよりも広い縁取りの幅を第１幅として検出する第１検出部と、
前記第１幅で縁取られた前記第１パターンを互いに異なる色の背景上に表す複数の第２画像の各々において、前記第１パターンの背景が、前記利用者により白色として認識されたか否かを示す入力を受ける第２受付部と、
前記第２受付部で受けた入力により、前記背景が白色として認識されることが示された前記第２画像の背景のうち、他の第２画像の背景よりも明度が小さい背景の色を第２色として検出する第２検出部と、
白色の背景上に、黒色で文字または図形である第２パターンを表した第３画像を受け、前記第３画像を、前記第２パターンの輪郭を囲む前記第１幅の白色の縁取りを有し、前記第２色の背景を有する第４画像に変換する変換部と、
を備えたことを特徴とする画像表示装置。
【請求項２】
請求項１に記載の画像表示装置において、
前記第１受付部は、前記複数の第１画像を、前記第１パターンの輪郭を囲む縁取りの幅が小さい順に前記利用者に提示する第１提示部を有する
ことを特徴とする画像表示装置。
【請求項３】
請求項１又は請求項２に記載の画像表示装置において、
前記第２受付部は、前記複数の第２画像を、前記背景の明度が大きい順に前記利用者に提示する第２提示部を有する
ことを特徴とする画像表示装置。
【請求項４】
互いに異なる幅の白色の縁取りで輪郭を囲まれた文字または図形である第１パターンを、白色以外の第１色の背景上にそれぞれ表す複数の第１画像の各々において、前記第１パターンの輪郭を囲む縁取りが、利用者により認識されたか否かを示す入力を受け、
前記受けた入力により、前記縁取りが認識されないことが示された前記第１画像に含まれる縁取りのうち、他の第１画像に含まれる縁取りよりも広い縁取りの幅を第１幅として検出し、
前記第１幅で縁取られた前記第１パターンを互いに異なる色の背景上に表す複数の第２画像の各々において、前記第１パターンの背景が、前記利用者により白色として認識されたか否かを示す入力を受け、
前記受けた入力により、前記背景が白色として認識されることが示された前記第２画像の背景のうち、他の第２画像の背景よりも明度が小さい背景の色を第２色として検出し、
白色の背景上に、黒色で文字または図形である第２パターンを表した第３画像を受け、前記第３画像を、前記第２パターンの輪郭を囲む前記第１幅の白色の縁取りを有し、前記第２色の背景を有する第４画像に変換する、
ことを特徴とする画像表示方法。
【請求項５】
互いに異なる幅の白色の縁取りで輪郭を囲まれた文字または図形である第１パターンを、白色以外の第１色の背景上にそれぞれ表す複数の第１画像の各々において、前記第１パターンの輪郭を囲む縁取りが、利用者により認識されたか否かを示す入力を受け、
前記受けた入力により、前記縁取りが認識されないことが示された前記第１画像に含まれる縁取りのうち、他の第１画像に含まれる縁取りよりも広い縁取りの幅を第１幅として検出し、
前記第１幅で縁取られた前記第１パターンを互いに異なる色の背景上に表す複数の第２画像の各々において、前記第１パターンの背景が、前記利用者により白色として認識されたか否かを示す入力を受け、
前記受けた入力により、前記背景が白色として認識されることが示された前記第２画像の背景のうち、他の第２画像の背景よりも明度が小さい背景の色を第２色として検出し、
白色の背景上に、黒色で文字または図形である第２パターンを表した第３画像を受け、前記第３画像を、前記第２パターンの輪郭を囲む前記第１幅の白色の縁取りを有し、前記第２色の背景を有する第４画像に変換する、
処理をコンピュータに実行させることを特徴とする画像表示プログラム。
【発明の詳細な説明】
【技術分野】
【０００１】
本発明は、画像表示装置、画像表示方法及び画像表示プログラムに関する。
【背景技術】
【０００２】
例えば、文字や図形を含む画像に対してエッジを強調することで、ディスプレイ等に画像を表示させた場合に、文字や図形を表すパターンと背景とのコントラストを増大させ、文字や図形を見やすくする技術がある（例えば、特許文献１参照）。
【先行技術文献】
【特許文献】
【０００３】
【特許文献１】特開２０１０−１３５８６５号公報
【発明の概要】
【発明が解決しようとする課題】
【０００４】
従来のエッジを強調する技術は、画像を例えば微分フィルタなどに通すことで、文字や図形を示すパターンの輪郭の内側に元の輝度よりも低い輝度を持つアンダーシュートを設け、パターンの輪郭の外側に元の輝度よりも高い輝度を持つオーバーシュートを設ける。したがって、画像に含まれる文字などのパターンが黒で表され、パターンの背景の色が白である場合に、従来のエッジを強調する技術では、パターンと背景とのコントラストを元のコントラストよりも大きくすることは困難である。つまり、従来のエッジを強調する技術では、例えば、白い背景上に文字や図形が黒で表された画像について、文字や図形を表すパターンの視認性を向上することは困難である。
【０００５】
本件開示の画像表示装置、画像表示方法及び画像表示プログラムは、白い背景の前景として黒で表わされた文字や図形を含む画像を表示させた場合に、表示された画像において文字や図形の視認性を向上することを目的とする。
【課題を解決するための手段】
【０００６】
一つの観点によれば、画像表示装置は、互いに異なる幅の白色の縁取りで輪郭を囲まれた文字または図形である第１パターンを、白色以外の第１色の背景上にそれぞれ表す複数の第１画像の各々において、第１パターンの輪郭を囲む縁取りが、利用者により認識されたか否かを示す入力を受ける第１受付部と、第１受付部で受けた入力により、縁取りが認識されないことが示された第１画像に含まれる縁取りのうち、他の第１画像に含まれる縁取りよりも広い縁取りの幅を第１幅として検出する第１検出部と、第１幅で縁取られた第１パターンを互いに異なる色の背景上に表す複数の第２画像の各々において、第１パターンの背景が、利用者により白色として認識されたか否かを示す入力を受ける第２受付部と、第２受付部で受けた入力により、背景が白色として認識されることが示された第２画像の背景のうち、他の第２画像の背景よりも明度が小さい背景の色を第２色として検出する第２検出部と、白色の背景上に、黒色で文字または図形である第２パターンを表した第３画像を受け、第３画像を、第２パターンの輪郭を囲む第１幅の白色の縁取りを有し、第２色の背景を有する第４画像に変換する変換部と、を備える。
【０００７】
別の観点によれば、画像表示方法は、互いに異なる幅の白色の縁取りで輪郭を囲まれた文字または図形である第１パターンを、白色以外の第１色の背景上にそれぞれ表す複数の第１画像の各々において、第１パターンの輪郭を囲む縁取りが、利用者により認識されたか否かを示す入力を受け、受けた入力により、縁取りが認識されないことが示された第１画像に含まれる縁取りのうち、他の第１画像に含まれる縁取りよりも広い縁取りの幅を第１幅として検出し、第１幅で縁取られた第１パターンを互いに異なる色の背景上に表す複数の第２画像の各々において、第１パターンの背景が、利用者により白色として認識されたか否かを示す入力を受け、受けた入力により、背景が白色として認識されることが示された第２画像の背景のうち、他の第２画像の背景よりも明度が小さい背景の色を第２色として検出し、白色の背景上に、黒色で文字または図形である第２パターンを表した第３画像を受け、第３画像を、第２パターンの輪郭を囲む第１幅の白色の縁取りを有し、第２色の背景を有する第４画像に変換する。
【０００８】
別の観点によれば、画像表示プログラムは、互いに異なる幅の白色の縁取りで輪郭を囲まれた文字または図形である第１パターンを、白色以外の第１色の背景上にそれぞれ表す複数の第１画像の各々において、第１パターンの輪郭を囲む縁取りが、利用者により認識されたか否かを示す入力を受け、受けた入力により、縁取りが認識されないことが示された第１画像に含まれる縁取りのうち、他の第１画像に含まれる縁取りよりも広い縁取りの幅を第１幅として検出し、第１幅で縁取られた第１パターンを互いに異なる色の背景上に表す複数の第２画像の各々において、第１パターンの背景が、利用者により白色として認識されたか否かを示す入力を受け、受けた入力により、背景が白色として認識されることが示された第２画像の背景のうち、他の第２画像の背景よりも明度が小さい背景の色を第２色として検出し、白色の背景上に、黒色で文字または図形である第２パターンを表した第３画像を受け、第３画像を、第２パターンの輪郭を囲む第１幅の白色の縁取りを有し、第２色の背景を有する第４画像に変換する、処理をコンピュータに実行させる。
【発明の効果】
【０００９】
本件開示の画像表示装置、画像表示方法及び画像表示プログラムは、白い背景の前景として黒で表わされた文字や図形を含む画像を表示させた場合に、表示された画像において文字や図形の視認性を向上することができる。
【図面の簡単な説明】
【００１０】
【図１】画像表示装置の一実施形態を示す図である。
【図２】図１に示した第１画像の例を示す図である。
【図３】図１に示した第２画像の例を示す図である。
【図４】図１に示した第３画像及び第４画像の例を示す図である。
【図５】図１に示した画像表示装置の動作を示す図である。
【図６】画像表示装置の別実施形態を示す図である。
【図７】図６に示した第１画像の例を示す図である。
【図８】図６に示した画像表示装置のハードウェア構成例を示す図である。
【図９】図８に示した画像表示装置の動作を示す図（その１）である。
【図１０】図８に示した画像表示装置の動作を示す図（その２）である。
【発明を実施するための形態】
【００１１】
以下、図面に基づいて、実施形態を説明する。
【００１２】
図１は、画像表示装置の一実施形態を示す。図１に示した画像表示装置１０は、第１受付部１１と、第１検出部１２と、第２受付部１３と、第２検出部１４と、変換部１５とを含んでいる。
【００１３】
第１受付部１１および第２受付部１３は、画像表示装置１０の利用者Ｕ１からの入力を受ける機能を有している。また、変換部１５は、画像表示装置１０による表示処理の対象として、白色の地に黒色で表された文字または図形である第２パターンを含む第３画像ＩＭＧ３の入力を受ける。
【００１４】
画像表示装置１０は、例えば、変換部１５への第３画像ＩＭＧ３の入力に先立って、互いに異なる幅の白色の縁取りで輪郭を囲まれた文字などの第１パターンを、白色以外の第１色の背景上にそれぞれ表す複数の第１画像ＩＭＧ１を表示する。これにより、複数の第１画像ＩＭＧ１の各々が、利用者Ｕ１に提示される。なお、複数の第１画像ＩＭＧ１は、図２を用いて後述される。また、以下では、利用者Ｕ１の視覚が、近視や遠視及び老眼などの目の屈折異常の影響を受けている場合について説明する。
【００１５】
第１受付部１１は、利用者Ｕ１から、複数の第１画像ＩＭＧ１のそれぞれにおいて第１パターンの輪郭を囲む縁取りが認識されたか否かを示す入力を受ける。そして、第１受付部１１は、例えば、複数の第１画像ＩＭＧ１のそれぞれについて受けた入力を示す情報を、第１検出部１２に渡す。
【００１６】
第１検出部１２は、例えば、第１受付部１１から受けた情報に基づいて、縁取りが認識されないことが示された第１画像ＩＭＧ１のうち、他の第１画像ＩＭＧ１よりも広い幅で縁取られた第１パターンを含む第１画像ＩＭＧ１を特定する。そして、第１検出部１２は、特定した第１画像ＩＭＧ１において、第１パターンを囲む縁取りの幅を第１幅として検出し、検出した第１幅を示す情報を、変換部１５に渡す。
【００１７】
第１幅が検出された後に、画像表示装置１０は、互いに異なる色の背景上に第１幅で縁取られた第１パターンを表す複数の第２画像のＩＭＧ２を表示することで、複数の第２画像ＩＭＧ２のそれぞれを利用者Ｕ１に提示する。なお、複数の第２画像ＩＭＧ２は、図３を用いて後述される。
【００１８】
第２受付部１３は、利用者Ｕ１から、複数の第２画像ＩＭＧ２のそれぞれにおいて、第１パターンの背景が白色として認識されたか否かを示す入力を受ける。そして、第２受付部１３は、例えば、複数の第２画像ＩＭＧ２のそれぞれについて受けた入力を示す情報を、第２検出部１４に渡す。
【００１９】
第２検出部１４は、例えば、第２受付部１３から受けた情報に基づいて、背景が白色として認識されることが示された第２画像ＩＭＧ２の背景の色のうち、他の第２画像ＩＭＧ２の背景よりも明度が低い色を背景として含む第２画像ＩＭＧ２を特定する。そして、第２検出部１４は、特定した第２画像ＩＭＧ２の背景の色を第２色として検出し、検出した第２色を変換部１５に渡す。
【００２０】
変換部１５は、例えば、受けた第３画像ＩＭＧ３の地の色を第２色とするとともに、第３画像ＩＭＧ３に含まれる第２パターンの輪郭に第１幅の白色の縁取りを付加することで、輪郭が強調された第２パターンを含む第４画像ＩＭＧ４を生成する。変換部１５によって生成された第４画像ＩＭＧ４は、第３画像ＩＭＧ３に代えて、利用者Ｕ１に提示される。
【００２１】
ここで、老眼等の屈折異常の影響を受けた視覚を持つ利用者Ｕ１には、図１に示した第３画像ＩＭＧ３のような白色の地に黒色で文字等を表す画像を見た場合でも、文字等のパターンの輪郭がボケて見えることがある。一方、灰色の地に黒色で表された文字などのパターンの輪郭に適切な幅の白色の縁取りを付加した場合に、輪郭に付加された縁取りが利用者Ｕ１によって縁取りとして認識されず、文字などの輪郭を強調する効果が得られる場合がある。また、人間の視覚は、白色の縁取りで輪郭が囲まれた文字の背景の色と縁取りの白色との明度の差が小さい場合などに、背景の色を白色と認識することがある。
【００２２】
したがって、利用者Ｕ１により白色と認識される限界の色の背景上に、利用者Ｕ１により縁取りとして認識されずに輪郭を強調する効果が得られる限界の幅を持つ縁取りを付加した文字等を表すことで、元の画像よりも文字等の視認性を向上することができる。
【００２３】
次に、第１受付部１１及び第１検出部１２により、利用者Ｕ１により縁取りとして認識されずに輪郭を強調する効果が得られる限界の幅である第１幅を検出する方法について、図２を用いて説明する。
【００２４】
図２は、図１に示した第１画像ＩＭＧ１の例を示す。図２（Ａ）は、図１に示した利用者Ｕ１に提示される複数の第１画像ＩＭＧ１の例と、白色の背景上に文字などの第１パターンＰｔ１を黒色で表す別の画像Ｇ０の例を示す。なお、図２（Ａ）に示した画像Ｇ０は、複数の第１画像ＩＭＧ１（例えば、第１画像ＩＭＧ１＿１，ＩＭＧ１＿２，ＵＭＧ１＿３）との対比のために示したものであり、図１に示した画像表示装置１０が利用者Ｕ１に対して提示する第１画像ＩＭＧ１には含まれない。図２（Ｂ）は、図２（Ａ）に示した画像Ｇ０及び複数の第１画像ＩＭＧ１のそれぞれにおける明度の変化を示すグラフの例を示す。図２（Ｂ）に示したグラフＧｒ０，Ｇｒ１，Ｇｒ２，Ｇｒ３のそれぞれおいて、横軸ｘは、図２（Ａ）に示した画像Ｇ０及び第１画像ＩＭＧ１＿１，ＩＭＧ１＿２，ＩＭＧ１＿３における位置を示し、縦軸Ｌは、明度の大きさを示す。
【００２５】
図２（Ａ）に示した画像Ｇ０は、白色の背景上に文字「Ｔ」を示すパターンを第１Ｐｔ１として含んでいる。画像Ｇ０に含まれる第１パターンＰｔ１を横切る線分Ｌ０上の各画素の明度は、図２（Ｂ）に示したグラフＧｒ０において実線で示すように、線分Ｌ０が第１パターンＰｔ１を横切る箇所で黒色を示す数値「０」となり、他の箇所では白色を示す値Ｗとなる。なお、図２（Ａ）に示した線分Ｌ０は、説明のために図示した要素であり、画像Ｇ０には含まれない。
【００２６】
図２（Ｂ）のグラフＧｒ０に示した破線は、屈折異常などの影響を受けた視覚を持つ利用者Ｕ１に対して図２（Ａ）に示した画像Ｇ０が提示された場合に、利用者Ｕ１によって認識される線分Ｌ０上の各画素の明度を示す。図２（Ｂ）のグラフＧｒ０に破線で示したように、図２（Ａ）に示した画像Ｇ０に含まれるパターンＰｔ１の輪郭を示すエッジは、屈折異常などの影響によって平滑化される場合がある。このため、図２（Ａ）に示した画像Ｇ０に含まれるパターンＰｔ１のように、明確な輪郭を持つパターンであっても、利用者Ｕ１の視覚には輪郭がボケた像として認識されることがある。
【００２７】
図２（Ａ）に示した第１画像ＩＭＧ１＿１，ＩＭＧ１＿２，ＩＭＧ１＿３のそれぞれは、互いに異なる幅を持つ白色の縁取りで輪郭が囲まれた黒色の文字「Ｔ」を示す第１パターンＰｔ１を、白色よりも暗い色の背景上に表している。ここで、図２（Ａ）に示した文字「Ｔ」を示す第１パターンＰｔ１は、複数の第１画像ＩＭＧ１に含まれる第１パターンの一例である。また、図２（Ａ）の例は、第１画像ＩＭＧ１＿１，ＩＭＧ１＿２，ＩＭＧ１＿３の順に、第１パターンＰｔ１を囲む縁取りＨｍ１，Ｈｍ２，Ｈｍ３の幅が大きくなる場合を示す。複数の第１画像ＩＭＧ１のそれぞれに含まれる第１パターンＰｔ１は、図２（Ａ）に示した文字「Ｔ」などに限られず、予め設定された文字、記号および図形であれば、どのようなものでもよい。また、図１に示した利用者Ｕ１に提示される第１画像ＩＭＧ１の数は、複数であればよく、例えば、３枚以上でもよい。なお、図２（Ａ）の例では、第１画像ＩＭＧ１＿１，ＩＭＧ１＿２，ＩＭＧ１＿３以外の第１画像の図示は省略されている。
【００２８】
図２（Ｂ）に示したグラフＧｒ１，Ｇｒ２，Ｇｒ３の実線は、図２（Ａ）に示した第１画像ＩＭＧ１＿１，ＩＭＧ１＿２，ＩＭＧ１＿３のそれぞれに含まれる第１パターンを横切る線分Ｌ１，Ｌ２，Ｌ３上にある各画素の明度を示す。グラフＧｒ１の実線で示した明度は、図２（Ａ）に示した第１画像ＩＭＧ１＿１の第１パターンＰｔ１に対応する箇所で黒色を示す数値「０」となり、第１パターンＰｔ１の輪郭を囲む縁取りＨｍ１に対応する箇所で白色を示す値「Ｗ」となる。同様に、グラフＧｒ２の実線で示した明度は、図２（Ａ）に示した第１画像ＩＭＧ１＿２の第１パターンＰｔ１に対応する箇所で黒色を示す数値「０」となり、第１パターンＰｔ１の輪郭を囲む縁取りＨｍ２に対応する箇所で白色を示す値「Ｗ」となる。また、グラフＧｒ３の実線で示した明度は、図２（Ａ）に示した第１画像ＩＭＧ１＿３の第１パターンＰｔ１に対応する箇所で黒色を示す数値「０」となり、第１パターンＰｔ１の輪郭を囲む縁取りＨｍ３に対応する箇所で白色を示す値「Ｗ」となる。図２（Ｂ）の例では、グラフＧｒ１，Ｇｒ２，Ｇｒ３の順に、実線で示された明度が白色を示す値「Ｗ」となっている箇所の幅が大きくなっている。なお、図２（Ｂ）において、明度Ｌ１は、図２（Ａ）に示した第１画像ＩＭＧ１＿１，ＩＭＧ１＿２，ＩＭＧ１＿３のそれぞれに含まれる第１パターンＰｔ１の背景の色の明度を示している。明度Ｌ１は、例えば、人間の視覚により、白色とは異なる色として認識される色の明るさを示す値に予め設定されることが望ましい。
【００２９】
一方、図２（Ｂ）のグラフＧｒ１に示した破線は、屈折異常などの影響を受けた視覚を持つ利用者Ｕ１に対して図２（Ａ）に示した第１画像ＩＭＧ１＿１が提示された場合に、利用者Ｕ１によって認識される線分Ｌ１上の各画素の明度の例を示す。同様に、図２（Ｂ）のグラフＧｒ２、Ｇｒ３に示した破線は、同じ利用者Ｕ１に対して図２（Ａ）に示した第１画像ＩＭＧ１＿２，ＩＭＧ１＿３が提示された場合に、利用者Ｕ１によって認識される線分Ｌ２，Ｌ３上の各画素の明度の例を示す。
【００３０】
グラフＧｒ１，Ｇｒ２、Ｇｒ３のそれぞれに破線で示した明度を互いに比べれば、グラフＧｒ３において縁取りＨｍ３に対応して明度が増大したことが示された箇所に比べて、グラフＧｒ１，Ｇｒ２では明度が増大した箇所が小さいことが分かる。
【００３１】
したがって、例えば、図２（Ａ）に示した第１画像ＩＭＧ１＿１，ＩＭＧ１＿２，ＩＭＧ１＿３が順次に利用者Ｕ１に提示された場合に、利用者Ｕ１は、第１画像ＩＭＧ１＿３が提示されたときに、第１パターンＰｔ１を囲む縁取りＨｍ３を認識する可能性が高い。この場合に、図１に示した第１受付部１１は、第１画像ＩＭＧ１＿３の第１パターンＰｔ１を囲む縁取りＨｍ３以上の幅を持つ縁取りで囲まれた第１パターンＰｔ１を含む他の第１画像ＩＭＧ１について、縁取りが認識されたことを示す入力を受けることになる。一方、第１受付部１１は、図２（Ａ）に示した縁取りＨｍ３よりも小さい幅を持つ縁取りで囲まれた第１パターンＰｔ１を含む他の第１画像ＩＭＧ１について、縁取りが認識されないことを示す入力を受けることになる。
【００３２】
また、図２（Ｂ）に示したグラフＧｒ１，Ｇｒ２，Ｇｒ３のそれぞれに破線で示した明度の変化から分かるように、第１パターンＰｔ１の輪郭を囲む縁取りの幅の増大に応じて、第１パターンＰｔ１の輪郭を強調する効果は増大している。例えば、グラフＧｒ１に破線で示した明度の変化では第１パターンＰｔ１の輪郭に対応するエッジが鈍っているのに対して、グラフＧｒ２に破線で示した明度の変化ではグラフＧｒ１に比べてエッジの鈍りが少なくなっていることが分かる。この場合に、縁取りが認識されないとされた第１画像ＩＭＧ１＿１，ＩＭＧ１＿２の各々に含まれる縁取りＨｍ１，Ｈｍ２のうち、広い方の縁取りＨｍ２の幅ｄ１は、利用者Ｕ１により縁取りとして認識されずに輪郭を強調する効果が得られる限界の幅である。
【００３３】
即ち、図１に示した第１検出部１２は、第１受付部１１で受けた入力に基づいて、利用者Ｕ１により縁取りとして認識されずに輪郭を強調する効果が得られる限界の幅を、第１幅として検出することができる。例えば、図２（Ｂ）の例では、図２（Ｂ）のグラフＧｒ２において第１画像ＩＭＧ１＿２における縁取りＨｍ２の幅に相当する幅ｄ１が、図１に示した第１検出部１２により、第１幅として検出される。
【００３４】
次に、図１に示した第２受付部１３及び第２検出部１４により、利用者Ｕ１により白色と認識される限界の色である第２色を検出する方法について、図３を用いて説明する。
【００３５】
図３は、図１に示した第２画像ＩＭＧ２の例を示す。図３（Ａ）は、図１に示した利用者Ｕ１に提示される複数の第２画像ＩＭＧ２の例として第２画像ＩＭＧ２＿１，ＩＭＧ２＿２，ＩＭＧ２＿３を示す。また、図３（Ｂ）は、図３（Ａ）に示した第２画像ＩＭＧ２＿１，ＩＭＧ２＿２，ＩＭＧ２＿３における明度の位置による変化を示すグラフの例を示す。図３（Ｂ）に示したグラフＧｐ１，Ｇｐ２，Ｇｐ３のそれぞれにおいて、横軸ｘは、図３（Ａ）に示した第２画像ＩＭＧ２＿１，ＩＭＧ２＿２，ＩＭＧ２＿３における位置を示し、縦軸Ｌは、明度を示す。なお、図３に示した要素のうち、図２に示した要素と同等の要素については、同一の符号で示すとともに要素の説明を省略する場合がある。
【００３６】
図３（Ａ）に示した第２画像ＩＭＧ２＿１，ＩＭＧ２＿２，ＩＭＧ２＿３のそれぞれは、図１に示した第１検出部１２で検出された第１幅ｄ１を持つ白色の縁取りＨｍ２で輪郭が囲まれた第１パターンＰｔ１を、互いに異なる色の地を背景として表している。ここで、図３（Ａ）に示した文字「Ｔ」は、複数の第２画像ＩＭＧ２に含まれる第１パターンの一例である。また、図３（Ａ）の例は、第２画像ＩＭＧ２＿１，ＩＭＧ２＿２，ＩＭＧ２＿３の順に、第１パターンＰｔ１の背景の色が暗くなる場合を示す。複数の第２画像ＩＭＧ２のそれぞれに含まれる第１パターンＰｔ１は、図３（Ａ）に示した文字「Ｔ」などに限られず、予め設定された文字、記号および図形であれば、どのようなものでもよい。また、図１に示した利用者Ｕ１に提示される第２画像ＩＭＧ２の数は、複数であればよく、例えば、３枚以上でもよい。なお、図３（Ａ）の例では、第２画像ＩＭＧ２＿１，ＩＭＧ２＿２，ＩＭＧ２＿３以外の第２画像ＩＭＧ２の図示は省略されている。
【００３７】
図３（Ｂ）に示したグラフＧｐ１，Ｇｐ２，Ｇｐ３の実線は、図３（Ａ）に示した第２画像ＩＭＧ２＿１，ＩＭＧ２＿２，ＩＭＧ２＿３のそれぞれに含まれる第１パターンＰｔ１を横切る線分Ｌ１，Ｌ２，Ｌ３上にある各画素の明度を示す。なお、図３（Ｂ）に示したグラフＧｐ１，Ｇｐ２，Ｇｐ３の縦軸Ｌにおいて、数値「０」は黒色を示し、値「Ｗ」は白色を示す。
【００３８】
グラフＧｐ１，Ｇｐ２，Ｇｐ３に実線で示した明度は、図３（Ａ）の第１画像ＩＭＧ２＿１，ＩＭＧ２＿２，ＩＭＧ２＿３の第１パターンＰｔ１を線分Ｌ１，Ｌ２，Ｌ３が横切る箇所で黒色を示す。一方、グラフＧｐ１，Ｇｐ２，Ｇｐ３に実線で示した明度は、図３（Ａ）に示した線分Ｌ１，Ｌ２，Ｌ３が第１画像ＩＭＧ２＿１，ＩＭＧ２＿２，ＩＭＧ２＿３の第１パターンＰｔ１を囲む縁取りＨｍ２を横切る箇所で白色を示す。また、グラフＧｐ１、Ｇｐ２，Ｇｐ３において、明度Ｌｂ１，Ｌｂ２，Ｌｂ３は、図３（Ａ）に示した第２画像ＩＭＧ２＿１，ＩＭＧ２＿２，ＩＭＧ２＿３のそれぞれにおいて、第１パターンＰｔ１として示した文字「Ｔ」の背景の色の明度を示す。第２画像ＩＭＧ２＿１，ＩＭＧ２＿２，ＩＭＧ２＿３の背景の明度Ｌｂ１，Ｌｂ２，Ｌｂ３は、第１幅として検出された幅ｄ１を用いて設定された基準値から順次に小さくなる値に設定されることが望ましい。なお、明度Ｌｂ１，Ｌｂ２，Ｌｂ３の設定に用いる基準値は、例えば、幅ｄ１の白色の線が識別される限界の明度の差を計測する実験などで得られた計測結果に基づいて、予め設定されることが望ましい。
【００３９】
例えば、図３（Ａ）に示した第２画像ＩＭＧ２＿１，ＩＭＧ２＿２，ＩＭＧ２＿３を提示された利用者Ｕ１により、第２画像ＩＭＧ２＿１，ＩＭＧ２＿２の背景が白色と認識され、第２画像ＩＭＧ２＿３の背景が白色以外と認識される場合を考える。この場合に、図１に示した第２検出部１４は、第２画像ＩＭＧ２＿１，ＩＭＧ２＿２の背景は利用者Ｕ１により白色と認識されたことを示す情報を第２受付部１３から受けることになる。そして、第２検出部１４は、受けた情報に基づいて、第２画像ＩＭＧ２＿１の背景の色の明度Ｌｂ１と第２画像ＩＭＧ２＿２の背景の色の明度Ｌｂ２とを比較し、比較の結果から、第２画像ＩＭＧ２＿２の背景の色を第２色として検出する。
【００４０】
ここで、利用者Ｕ１により、第２画像ＩＭＧ２＿３の背景が白色以外と認識された場合に、利用者Ｕ１が白色と白色以外とを判別する明度の差は、図３（Ｂ）に示した明度Ｌｂ３と白色を示す明度Ｗとの差よりも小さい。一方、利用者Ｕ１により、第２画像ＩＭＧ２＿１，ＩＭＧ２＿２の背景が白色と認識されたことから、図３（Ｂ）に示した明度Ｌｂ１及び明度Ｌｂ２のそれぞれを持つ色は、いずれも利用者Ｕ１により白色と判断されることが分かる。したがって、明度Ｌｂ１と明度Ｌｂ２とのうち小さい方である明度Ｌｂ２は、利用者Ｕ１により白色と認識される限界の色を示している。即ち、図１に示した第２検出部１４は、第２受付部１３から受けた情報に基づいて第２色を検出することで、利用者Ｕ１により白色と認識される限界の色を検出することができる。
【００４１】
以上に説明した第１幅は、利用者Ｕ１に縁取りとして認識されることなく輪郭を強調する効果が得られる限界の幅であり、第２色は、利用者Ｕ１に白色として認識される限界の色である。したがって、図１に示した変換部１５により、以上に説明した第１幅及び第２色を用いた変換を第３画像ＩＭＧ３に対して行うことで、図４に示すように、第３画像ＩＭＧ３に含まれる文字などを、利用者Ｕ１にとって見やすくすることができる。
【００４２】
図４は、図１に示した第３画像ＩＭＧ３及び第４画像ＩＭＧ４の例を示す。図４（Ａ）は、第３画像ＩＭＧ３の例を示し、図４（Ｂ）は、屈折異常などの影響を受けた視覚を持つ利用者Ｕ１に第３画像ＩＭＧ３を提示した場合に認識される画像ＩＭＧａの例を示す。また、図４（Ｃ）は、第４画像ＩＭＧ４の例を示し、図４（Ｄ）は、同じ利用者Ｕ１に第４画像ＩＭＧ４を提示した場合に認識される画像ＩＭＧｂの例を示す。
【００４３】
図４（Ａ）に示した第３画像ＩＭＧ３は、白色の地を背景として、文字「Ａ」を表すパターンを第２パターンＰｔ２として含んでいる。なお、第３画像ＩＭＧ３に含まれる第２パターンＰｔ２は、図４（Ａ）に示した文字「Ａ」に限らず、黒色で描かれた線分や曲線などを組み合わせることで表されるパターンであればよい。例えば、第３画像ＩＭＧ３は、ワードプロセッサによって生成された文書を表す画像や電子書籍に含まれる各ページを表す画像でもよい。
【００４４】
一方、図４（Ｂ）に示した画像ＩＭＧａは、図４（Ａ）に示した第３画像ＩＭＧ３の提示を受けた場合に、利用者Ｕ１により認識される画像の例を示している。図４（Ａ）に示した第３画像ＩＭＧ３と、図４（Ｂ）に示した画像ＩＭＧａとを比べれば、屈折異常などの影響を受ける利用者Ｕ１には、第３画像ＩＭＧ３の第２パターンＰｔ２は、輪郭がボケた像として認識されることが分かる。
【００４５】
図４（Ｃ）に示した第４画像ＩＭＧ４は、図１に示した第２検出部１４によって検出された第２色の地を背景として、図１に示した第１検出部１２によって検出された第１幅の縁取りＨｍ２で囲まれた第２パターンＰｔ２を含んでいる。
【００４６】
そして、図４（Ｄ）に示した矩形ＩＭＧｂは、図４（Ｃ）に示した第４画像ＩＭＧ４の提示を受けた場合に、利用者Ｕ１により認識される画像の例を示している。図４（Ｂ）の画像ＩＭＧａと図４（Ｄ）の画像ＩＭＧｂとの比較から、第４画像ＩＭＧ４を利用者Ｕ１に提示した場合の方が、第３画像ＩＭＧを提示した場合よりも、第２パターンＰｔ２の輪郭が明確に認識されることが分かる。
【００４７】
更に、図４（Ｃ）に示した第４画像ＩＭＧ４において、第２パターンＰｔ２（図４の場合は文字「Ａ」）は、利用者Ｕ１により白色として認識される限界の色である第２色を背景として表される。したがって、図４（Ｃ）に示したような第４画像ＩＭＧ４を見た利用者Ｕ１が、第２パターンの背景を白色以外の色として認識することはない。即ち、図４（Ｃ）に示した第４画像ＩＭＧ４は、利用者Ｕ１により、図４（Ａ）に示した第３画像ＩＭＧ３と同様の、白色の地に文字などのパターンを表示する画像として認識される。つまり、図１に示した画像表示装置１０は、第３画像ＩＭＧ３が利用者Ｕ１に提示された場合の印象を維持しつつ、第３画像ＩＭＧ３に含まれる文字などを利用者Ｕ１にとって見やすく表示することが可能である。
【００４８】
図５は、図１に示した画像表示装置１０の動作を示す。図５に示したステップＳ３０１〜ステップＳ３０６の処理は、図１に示した画像表示装置１０の動作を示すとともに、画像表示方法および画像表示プログラムの例を示す。例えば、図５に示す処理は、画像表示装置１０に搭載されたプロセッサが画像表示プログラムを実行することで実現される。なお、図５に示す処理は、画像表示装置１０に搭載されるハードウェアによって実行されてもよい。
【００４９】
ステップＳ３０１において、図１に示した第１受付部１１は、複数の第１画像ＩＭＧ１の各々について、第１パターンＰｔ１の輪郭を囲む縁取り（例えば、図２（Ａ）の縁取りＨｍ１，Ｈｍ２，Ｈｍ３）が、利用者により認識されたか否かを示す入力を受ける。
【００５０】
ステップＳ３０２において、図１に示した第１検出部１２は、ステップＳ３０１の処理で受けた入力に基づいて、図２を用いて説明した第１幅を検出する。例えば、図２の例では、図２（Ａ）に示した第１画像ＩＭＧ１＿２に含まれる第１パターンＰｔの輪郭を囲む縁取りＨｍ２の幅ｄ１が、図１に示した第１検出部１２により、第１幅として検出される。
【００５１】
ステップＳ３０３において、図１に示した第２受付部１３は、複数の第２画像ＩＭＧ２の各々において、第１パターンＰｔ１の背景が、利用者Ｕ１により白色として認識されたか否かを示す入力を受ける。
【００５２】
ステップＳ３０４において、図１に示した第２検出部１４は、ステップＳ３０３の処理で受けた入力に基づいて、図３を用いて説明した第２色を検出する。例えば、図３の例では、図３（Ａ）に示した第２画像ＩＭＧ２＿２において、第１パターンＰｔが表された背景の色が、白色として認識される限界の色を示す第２色として検出される。
【００５３】
ステップＳ３０５において、図１に示した変換部１５は、画像表示装置１０による表示処理の対象として、白色の背景上に、第２パターンを黒色で表す第３画像ＩＭＧ３を受ける。
【００５４】
ステップＳ３０６において、変換部１５は、ステップＳ３０５で受けた第３画像ＩＭＧ３を、第２パターンを囲む第１幅の白色の縁取りを有し第２色の背景を有する第４画像ＩＭＧ４に変換する。
【００５５】
そして、ステップＳ３０６の処理で生成された第４画像ＩＭＧ４は、第３画像ＩＭＧ３の代わりに、利用者Ｕ１に対して表示される。
【００５６】
変換部１５は、利用者Ｕ１に対して提示する画像を第３画像ＩＭＧ３として受ける毎に、ステップＳ３０５及びステップＳ３０６の処理を実行することで、複数の第３画像の各々に対応する第４画像ＩＭＧ４を生成し、生成した第４画像ＩＭＧ４を表示してもよい。
【００５７】
以上に説明した画像表示装置１０は、利用者Ｕ１により縁取りとして認識されずに輪郭を強調する効果が得られる限界の幅である第１幅と、利用者Ｕ１により白色として認識される限界の色である第２色とを検出する。そして、画像表示装置１０は、表示の対象となる第３画像ＩＭＧ３に対して、第２色の地を背景として、第３画像ＩＭＧに含まれる第２パターンを第１幅の縁取りで囲んで表すための変換処理を行う。
【００５８】
図４を用いて説明したように、図１に示した画像表示装置１０の変換部１５によって生成される第４画像ＩＭＧ４が利用者Ｕ１に対して表示された場合に、利用者Ｕ１は、変換前の第３画像ＩＭＧ３が表示された場合に比べて、第２パターンを認識しやすい。即ち、図１に示した画像表示装置１０は、任意の文字や記号及び図形を含む第３画像ＩＭＧ３を、図４（Ｃ）に示したような第４画像ＩＭＧ４に変換することで、利用者Ｕ１にとって、第３画像に含まれるパターンを視認しやすくすることができる。
【００５９】
更に、図１に示した画像表示装置１０の第２検出部１４は、第１検出部１２で検出された第１幅の縁取りで囲まれた第１パターンを互いに異なる色の地を背景として表す第２画像を用いて、利用者Ｕ１が白色として認識する限界の色である第２色を検出する。これにより、例えば、利用者Ｕ１が白色として認識する限界の色と、利用者Ｕ１により縁取りとして認識されずに輪郭を強調する効果が得られる限界の幅とを同時に調整する場合に比べて、第１幅と第２色とを高い精度で検出することができる。なぜなら、先に特定された第１幅を用いて第２色の特定を行う場合には、縁取りの幅と背景の色とを同時に調整する場合に比べて、白色の縁取りの背景が灰色に見えた記憶により、利用者Ｕ１の判断が影響を受ける可能性を抑制することが可能だからである。
【００６０】
図６は、画像表示装置の別実施形態を示す。なお、図６に示す構成要素のうち、図１に示した構成要素と同等のものは、同一の符号で示すとともに構成要素の説明を省略する場合がある。
【００６１】
図６に示した画像表示装置１０ａは、第１受付部１１ａと、第１検出部１２ａと、第２受付部１３ａと、第２検出部１４ａと、変換部１５ａと、保持部ＭＥＭとを含んでいる。
【００６２】
第１受付部１１ａは、図１に示した第１受付部１１に相当する構成要素であり、第１提示部１１１と入力部１１２とを有する。第１提示部１１１は、例えば、図２（Ａ）に示した第１画像ＩＭＧ１に相当する複数の第１画像ＩＭＧ１ａを生成し、生成した複数の第１画像ＩＭＧ１ａを、画像表示装置１０ａに搭載された液晶表示部などにより表示する。第１提示部１１１は、生成した複数の第１画像ＩＭＧ１ａを、例えば、第１画像ＩＭＧ１ａの各々に含まれる第１パターンを囲む縁取りの幅が小さい順に液晶表示部などに渡すことで、利用者Ｕ１に複数の第１画像ＩＭＧ１ａを順次に提示する。なお、第１提示部１１１によって提示される複数の第１画像ＩＭＧ１ａの例については、図７を用いて後述する。また、入力部１１２は、例えば、画像表示装置１０ａに搭載されたタッチパネルやキーボードあるいはマウスなどである。第１受付部１１ａに含まれる入力部１１２は、利用者Ｕ１に対して複数の第１画像ＩＭＧ１ａが提示された場合に、各第１画像ＩＭＧ１ａにおいて、第１パターンの輪郭を囲む縁取りを認識したか否かを利用者Ｕ１が入力するために用いられる。
【００６３】
第１検出部１２ａは、図１に示した第１検出部１２に相当する構成要素であり、利用者Ｕ１が入力部１１２を操作することで入力した情報を、入力部１１２から受ける。第１検出部１２ａは、入力部１１２から受けた情報と、第１提示部１１１が複数の第１画像ＩＭＧ１ａの生成に用いた情報とに基づいて、利用者Ｕ１により縁取りとして認識されない限界の幅である第１幅を検出する。
【００６４】
第１検出部１２ａで検出された第１幅は、保持部ＭＥＭに保持されるとともに、第２受付部１３ａに渡される。
【００６５】
第２受付部１３ａは、図１に示した第２受付部１３に相当する構成要素であり、入力部１１２と、第２提示部１３１とを含んでいる。第２提示部１３１は、第１検出部１２ａで検出された第１幅を用いて、図３（Ａ）に示した複数の第２画像ＩＭＧ２を生成し、生成した複数の第２画像ＩＭＧ２を、例えば、画像表示装置１０ａに搭載された液晶表示部などを用いて表示させる。第２提示部１３１は、例えば、生成した複数の第２画像ＩＭＧ２を、第２画像ＩＭＧ２の各々において第１パターンの背景の色が明るい順に液晶表示部などに渡すことで、利用者Ｕ１に複数の第２画像ＩＭＧ２を提示する。更に、第２提示部１３１は、複数の第２画像ＩＭＧ２のそれぞれを液晶表示部などで表示させる際に、液晶表示部などでの画像の表示に用いるバックライトなどの光源の輝度を順次に下げることで、各第２画像ＩＭＧ２を複数の異なる輝度で表示することが望ましい。そして、第２受付部１３ａに含まれる入力部１１２は、利用者Ｕ１に対して複数の第２画像ＩＭＧ２が提示された場合に、各第２画像ＩＭＧ２において、第１パターンＰｔ１の背景を白色として認識したか否かを利用者Ｕ１が入力するために用いられる。
【００６６】
第２検出部１４ａは、図１に示した第２検出部１４に相当する構成要素であり、利用者Ｕ１が入力部１１２を操作することで入力した情報を、入力部１１２から受ける。第２検出部１４ａは、第１パターンＰｔ１の背景が白色以外と認識されたことを示す情報を入力部１１２から受けた場合に、第２提示部１３１が最後に提示した第２画像ＩＭＧ２の背景に含まれる画素に設定された明度及び表示に用いた光源の輝度を特定する。そして、第２検出部１４ａは、特定した明度を示す情報と、特定した光源の輝度よりも一段階明るい輝度を示す情報とを、検出した第２色を示す情報として、保持部ＭＥＭに保持させる。つまり、第２検出部１４ａによって検出される第２色は、第１パターンの背景が白色として認識された第２画像ＩＭＧ２の背景に含まれる画素に設定された明度を示す情報と、当該第２画像ＩＭＧ２の表示に用いられた光源の輝度を示す情報とで表される。
【００６７】
変換部１５ａは、図１に示した変換部１５に相当する構成要素であり、保持部ＭＥＭの保持された第１幅及び第２色を示す情報に基づいて、画像表示装置１０ａによる表示処理の対象として受けた第３画像ＩＭＧ３を、図４で説明した第４画像ＩＭＧ４に変換する。変換部１５ａは、例えば、第３画像ＩＭＧ３を受ける毎に、受けた第３画像ＩＭＧ３の背景の部分に含まれる各画素の明度を、保持部ＭＥＭから第２色を示す情報の一部として取得した明度に置き換える。次いで、変換部１５ａは、エッジを強調する作用を有するフィルタに、明度の置き換えを行った第３画像ＩＭＧ３を通すことで、第３画像ＩＭＧ３に含まれる第２パターンの輪郭に、第１幅の縁取りを文字などのパターンの輪郭に付加する。更に、変換部１５ａは、フィルタから出力された第４画像ＩＭＧを液晶表示部などに表示させる際に、保持部ＭＥＭから第２色を示す情報の一部として取得した輝度を液晶表示部の光源に設定する。
【００６８】
図６に示した画像表示装置１０ａは、図１に示した画像表示装置１０と同様に、図４（Ａ）に示したような第３画像ＩＭＧ３を図４（Ｃ）に示したような第４画像ＩＭＧ４に変換することで、表示された文字などを利用者Ｕ１にとって見やすくすることができる。
【００６９】
また、図６に示した画像表示装置１０ａに含まれる第１提示部１１１は、図７に示すような複数の第１画像ＩＭＧ１ａの各々を、縁取りの幅が小さい順に表示することで、いかに説明する効果を得ることができる。
【００７０】
図７は、図６に示した第１画像ＩＭＧ１ａの例を示す。なお、図７に示す要素のうち、図２に示した要素と同等のものは、同一の符号で示すとともに要素の説明を省略する場合がある。
【００７１】
図７に示した第１画像ＩＭＧ１ａ＿１，ＩＭＧ１ａ＿２，ＩＭＧ１ａ＿３は、図２に示した第１画像ＩＭＧ１＿１，ＩＭＧ１＿２，ＩＭＧ１＿３と同様に、互いに異なる幅の縁取りＨｍ１，Ｈｍ２，Ｈｍ３で囲まれた第１パターンＰｔ１を含んでいる。なお、図７の例では、複数の第１画像ＩＭＧ１ａのうち、第１画像ＩＭＧ１ａ＿１，ＩＭＧ１ａ＿２，ＩＭＧ１ａ＿３以外の第１画像ＩＭＧ１ａの図示は省略されている。
【００７２】
また、図７に示した第１画像ＩＭＧ１ａ＿１，ＩＭＧ１ａ＿２，ＩＭＧ１ａ＿３において、額縁に類似した形状の領域Ｒｍ１，Ｒｍ２，Ｒｍ３のそれぞれは、第１パターンＰｔ１の背景に設けられた白色を示す領域の例である。なお、第１画像ＩＭＧ１ａ＿１，ＩＭＧ１ａ＿２，ＩＭＧ１ａ＿３の第１パターンＰｔ１の背景に設けられる白色を示す領域Ｒｍ１，Ｒｍ２，Ｒｍ３は、図７に示したような額縁に類似した形状に限られない。領域Ｒｍ１，Ｒｍ２，Ｒｍ３の形状は、第１パターンＰｔ１の背景の色との対比から領域Ｒｍ１，Ｒｍ２，Ｒｍ３が白色で示されることを利用者Ｕ１が認識可能な程度の大きさであれば、どのような形状でもよい。例えば、領域Ｒｍ１，Ｒｍ２，Ｒｍ３は、第１画像ＩＭＧ１ａ＿１，ＩＭＧ１ａ＿２，ＩＭＧ１ａ＿３にそれぞれ含まれる第１パターンＰｔ１及び縁取りＨｍ１，Ｈｍ２，Ｈｍ３から離れた箇所に設けられた矩形の領域であってもよい。
【００７３】
第１画像ＩＭＧ１ａ＿１，ＩＭＧ１ａ＿２，ＩＭＧ１ａ＿３のそれぞれの提示を受けた利用者Ｕ１は、領域Ｒｍ１，Ｒｍ２，Ｒｍ３の色と背景の色との対比から、領域Ｒｍ１，Ｒｍ２，Ｒｍ３がない場合に比べて、背景の色が白色以外であることを認識しやすい。このため、背景の色が白色以外であるか否かが明確に認識されていない状態で、様々な幅を持つ縁取りで囲んだ第１パターンＰｔ１が提示される場合に比べて、利用者Ｕ１は、第１パターンＰｔ１を囲む白色の縁取りが見えるか否かを判断しやすくなる。つまり、図６に示した第１提示部１１１により、図７に示した複数の第１画像ＩＭＧ１ａを利用者Ｕ１に提示することで、図２（Ａ）に示した第１画像ＩＭＧ１を提示した場合に比べて、利用者Ｕ１の判断を容易にすることができる。また、第１画像ＩＭＧ１に白色を示す領域Ｒｍ１，Ｒｍ２，Ｒｍ３を設けたことで、第１画像ＩＭＧ１の平均的な輝度を、第３画像ＩＭＧ３に対応して画像表示装置１０ａにより表示される第４画像ＩＭＧ４の平均的な輝度に近づけることができる。これにより、利用者Ｕ１の瞳孔の大きさにより、第１検出部１２ａによって検出される第１幅が影響を受ける度合いを、白色の領域Ｒｍ１，Ｒｍ２，Ｒｍ３を設けない場合に比べて小さくすることができるので、高い精度で第１幅を特定できる。
【００７４】
また、第１提示部１１１により、縁取りの幅が小さい順に複数の第１画像ＩＭＧ１ａの各々を利用者Ｕ１に提示することで、逆の順序で提示する場合に比べて、利用者Ｕ１の判断が記憶の影響を受ける可能性を低減することができる。ここで、記憶の影響とは、順次に提示される第１画像ＩＭＧ１のいずれかで第１パターンＰｔ１を囲む縁取りを認識すると、以降に提示される第１画像ＩＭＧ１の第１パターンＰｔ１を囲む縁取りが見えるとの先入観を利用者Ｕ１に与える心理的な作用である。
【００７５】
つまり、第１提示部１１１は、図７に示した複数の第１画像ＩＭＧ１ａを縁取りの幅の小さい順に提示することで、図２（Ａ）に示した第１画像ＩＭＧ１の各々をランダムに提示した場合に比べて、利用者Ｕ１の判断が先入観等の影響を受け難くすることができる。したがって、第１提示部１１１を有する第１受付部１１ａは、先入観等の影響を考慮しない場合に比べて、利用者Ｕ１から、複数の第１画像ＩＭＧ１ａのそれぞれで第１パターンＰｔ１を囲む縁取りが認識されたか否かを高い精度で示す入力を受けることができる。
【００７６】
ところで、利用者Ｕ１が、複数の第２画像ＩＭＧ２のそれぞれに含まれる第１パターンＰｔ１の背景を白色と認識するか否かを判断する際に、図７で説明した記憶の影響に類似した心理的な作用を受ける場合がある。例えば、図３（Ａ）に示した第２画像ＩＭＧ２＿３の第１パターンＰｔ１を囲む縁取りＨｍ２との対比で背景の色を灰色と認識した後に第２画像ＩＭＧ２＿１を見た場合などに、利用者Ｕ１の判断は、第１パターンＰｔの背景は灰色であるとの先入観の影響を受ける。
【００７７】
そこで、図６に示した第２提示部１３１は、第１パターンＰｔ１の背景の色が明るい順に複数の第２画像ＩＭＧ２を利用者Ｕ１に提示する。これにより、例えば、逆の順序で提示する場合に比べて、先に提示された第２画像ＩＭＧ２において背景の色を灰色と認識したことによる先入観が利用者Ｕ１の判断に与える影響を低減することができる。
【００７８】
したがって、第２提示部１３１を有する第２受付部１３ａは、先入観の影響を考慮しない場合に比べて、利用者Ｕ１から、複数の第２画像ＩＭＧ２のそれぞれにつき、地の色が白色として認識されたか否かを高い精度で示す入力を受けることができる。
【００７９】
また、第２提示部１３１により、背景の色が異なる第２画像ＩＭＧ２のそれぞれを、光源の輝度を変えつつ表示することで、表示に用いられる光源の輝度により、利用者Ｕ１が白色と認識する色が変化することの影響を考慮して、第２色の検出を行うことができる。そして、第２検出部１４ａにより、第２色を示す情報として、第２画像ＩＭＧ２の背景の明度ととともに、画像の表示に用いる光源の輝度を特定することで、利用者Ｕ１が白色として認識する限界の色で第２画像ＩＭＧ２の背景を表示するための情報を特定できる。これにより、例えば、光源の輝度を抑制しつつ、利用者Ｕ１に白色と認識される色の画像を表示するための情報を特定することが可能となるので、スマートホンなどの携帯端末装置に画像表示装置１０ａを実装する場合に有用である。
【００８０】
以上に説明した第１受付部１１ａ及び第２受付部１３ａは、複数の第１画像ＩＭＧ１ａ及び複数の第２画像ＩＭＧ２ａのそれぞれを利用者Ｕ１に提示する順序にかかわる先入観が利用者Ｕ１の判断に与える影響を低減可能である。したがって、図６に示した第１検出部１２ａは、第１受付部１１ａから受けた情報に基づいて、先入観の影響を考慮しない場合に比べて第１幅を高い精度で特定し、特定した第１幅を示す情報を保持部ＭＥＭに保持させることができる。同様に、図６に示した第２検出部１４ａは、第２受付部１３ａから受けた情報に基づいて、先入観の影響を考慮しない場合に比べて第２色を高い精度で特定し、特定した第２色を示す情報を保持部ＭＥＭに保持させることができる。これにより、図６に示した変換部１５ａは、先入観の影響を考慮しない場合に比べて高い精度で特定された第１幅及び第２色を用いて、第３画像ＩＭＧ３から第４画像ＩＭＧ４への変換を行うことができる。
【００８１】
以上に説明した本件開示の画像表示装置１０は、例えば、スマートホンやタブレット型端末などの携帯端末装置やコンピュータ装置を用いて実現することができる。
【００８２】
図８は、図６に示した画像表示装置１０ａのハードウェア構成例を示す。図８の例は、スマートホン、タブレット型端末あるいは電子ブックリーダなどの携帯端末装置に搭載されたハードウェアを用いて画像表示装置１０ａを実現する場合を示す。なお、図６に示した画像表示装置１０ａは、図８の例に限らず、例えば、デスクトップ型のコンピュータ装置に搭載されたハードウェアを用いて実現することも可能である。
【００８３】
図８に示した携帯端末装置ＵＥは、プロセッサ２１と、メモリ２２と、入力装置２３と、表示装置２４と、ネットワークインタフェース２５と、メモリカードスロット２６とを含んでいる。図８に示したプロセッサ２１と、メモリ２２と、入力装置２３と、表示装置２４と、ネットワークインタフェース２５と、メモリカードスロット２６とは、バスを介して互いに接続されている。また、プロセッサ２１とメモリ２２と入力装置２３及び表示装置２４は、画像表示装置１０ａに含まれる。
【００８４】
携帯端末装置ＵＥは、ネットワークインタフェース２５を介して、インターネットなどのネットワークＮＷに接続されており、ネットワークＮＷを介して、サーバ装置ＳＶとの間で情報の授受が可能である。
【００８５】
図８に示した入力装置２３は、例えば、携帯端末装置ＵＥに搭載されたタッチパネルに含まれるタッチセンサなどである。また、表示装置２４は、例えば、携帯端末装置ＵＥに搭載されたタッチパネルに含まれるディスプレイなどである。
【００８６】
携帯端末装置ＵＥの利用者Ｕ１は、表示装置２４で複数の第１画像ＩＭＧ１ａのそれぞれが表示された場合に、入力装置２３を操作することで、例えば、第１画像ＩＭＧ１ａの各々において、第１パターンＰｔが縁取りで囲まれていると認識したか否かを入力する。また、利用者Ｕ１は、表示装置２４により複数の第２画像ＩＭＧ２のそれぞれが表示された場合に、入力装置２３を操作することで、例えば、第２画像ＩＭＧ２のそれぞれに含まれる第１パターンＰｔの背景を白色と認識したか否かを入力する。即ち、入力装置２３は、図６に示した入力部１１２の機能を果たす。
【００８７】
また、図８に示したメモリカードスロット２６は、メモリカード２７を装着可能であり、装着したメモリカード２７に記録された情報の読出および記録を行う。
【００８８】
図８に示したメモリ２２は、携帯端末装置ＵＥのオペレーティングシステムとともに、プロセッサ２１が図５に示した画像表示処理を実行するためのアプリケーションプログラムを格納している。なお、図５に示した画像表示処理を実行するためのアプリケーションプログラムは、例えば、メモリカード２７に記録して頒布することができる。そして、メモリカード２７をメモリカードスロット２６に装着して読み込み処理を行うことにより、図５に示した画像表示処理を実行するためのアプリケーションプログラムを、メモリ２２に格納させてもよい。また、画像表示処理のためのアプリケーションプログラムは、ネットワークインタフェース２５を介して、ネットワークＮＷに接続されたサーバ装置ＳＶからダウンロードされてもよい。そして、ダウンロードされたプログラムをメモリ２２に格納させることで、プロセッサ２１は、画像表示処理のためのアプリケーションプログラムの実行が可能となる。
【００８９】
プロセッサ２１は、メモリ２２に格納されたアプリケーションプログラムに基づいて表示装置２４の動作を制御することにより、図６に示した第１提示部１１１及び第２提示部１３１の機能を果たす。また、プロセッサ２１は、メモリ２２に格納されたアプリケーションプログラムを実行することにより、図６に示した第１検出部１２ａ，第２検出部１４ａ及び変換部１５ａの機能を果たす。また、プロセッサ２１は、第１検出部１２ａ及び第２検出部１４ａの機能を果たすための処理を実行した際に得られる情報を、例えば、メモリ２２の記憶領域の一部を用いて保持することで、メモリ２２の記憶領域の一部により図６に示した保持部ＭＥＭを実現する。そして、プロセッサ２１は、変換部１５ａの機能を果たすための処理に、メモリ２２に保持した情報を用いる。
【００９０】
つまり、図６に示した画像表示装置１０ａは、例えば、図８に示した携帯端末装置ＵＥに含まれるプロセッサ２１とメモリ２２と入力装置２３及び表示装置２４と、メモリ２２に格納されたアプリケーションプログラムとの協働によって実現することができる。
【００９１】
画像表示処理のためのアプリケーションプログラムは、図２で説明した第１幅及び図３で説明した第２色を検出する処理と、図４で説明した輪郭強調処理とのそれぞれをプロセッサ２１に実行させるためのアプリケーションプログラムを含んでいる。プロセッサ２１は、例えば、第１幅及び第２色を検出する処理のためのアプリケーションプログラムと、輪郭強調処理のためのアプリケーションプログラムとを、異なるタイミングで実行してもよい。例えば、プロセッサ２１は、携帯端末装置ＵＥの初期設定などを行う際に、第１幅及び第２色を検出する処理のためのアプリケーションプログラムを実行する。一方、プロセッサ２１は、例えば、白色の背景上に文字等のパターンを黒色で表す文書などを表示の対象として受ける毎に、輪郭強調処理のためのアプリケーションプログラムを実行する。
【００９２】
図９及び図１０は、図８に示した画像表示装置１０ａの動作を示す。図９に示したステップＳ３１１〜ステップＳ３１６の処理は、画像表示処理のためのアプリケーションプログラムに含まれる、第１幅及び第２色を検出する処理の一例である。また、図１０に示したステップＳ３２１〜ステップＳ３２６の処理は、画像表示処理のためのアプリケーションプログラムに含まれる輪郭強調処理の一例である。
【００９３】
図９に示したステップＳ３１１〜ステップＳ３１６の各処理は、図８に示したプロセッサ２１により、例えば、携帯端末装置ＵＥの初期設定の際などに実行される。
【００９４】
ステップＳ３１１において、プロセッサ２１は、図７に示した複数の第１画像ＩＭＧ１ａを縁取りの幅が小さい順に生成し、生成した第１画像ＩＭＧ１ａを表示装置２４に表示させる。
【００９５】
ステップＳ３１２において、プロセッサ２１は、図８に示した入力装置２３からの情報に基づいて、ステップＳ３１１の処理で表示された第１画像ＩＭＧ１ａを見た利用者Ｕ１により、第１パターンＰｔ１を囲む縁取りが認識されたか否かを判定する。
【００９６】
入力装置２３からの情報により、利用者Ｕ１が縁取りを認識しなかったことが示された場合に（ステップＳ３１２の否定判定（ＮＯ））、プロセッサ２１は、ステップＳ３１１の処理に戻る。そして、プロセッサ２１は、次に小さい幅の縁取りで囲まれた第１パターンＰｔ１を含む第１画像ＩＭＧ１ａを生成し、生成した第１画像ＩＭＧ１ａを表示する。
【００９７】
ステップＳ３１１，Ｓ３１２の処理を繰り返す過程で、入力装置２３からの情報により、利用者Ｕ１が縁取りを認識したことが示された場合に（ステップＳ３１２の肯定判定（ＹＥＳ））、プロセッサ２１は、ステップＳ３１３の処理に進む。
【００９８】
ステップＳ３１３において、プロセッサ２１は、縁取りが認識されなかったことが示された第１画像ＩＭＧ１ａのうち、最後に利用者Ｕ１に提示された第１画像ＩＭＧ１ａの第１パターンＰｔ１を囲む縁取りの幅を第１幅として特定する。そして、プロセッサ２１は、特定した第１幅を示す情報を、メモリ２２に設けた保持部ＭＥＭに保持させる。その後、プロセッサ２１は、ステップＳ３１４の処理に進む。
【００９９】
ステップＳ３１４において、プロセッサ２１は、図３に示した複数の第２画像ＩＭＧ２を背景の明度が高い順に生成し、生成した第２画像ＩＭＧ２を表示装置２４に表示させる。更に、プロセッサ２１は、図６を用いて説明したように、各第２画像ＩＭＧ２を表示装置２４に表示させる際の光源の輝度を順次に低下させることで、個々の第２画像ＩＭＧ２を複数の異なる輝度で表示させることが望ましい。
【０１００】
ステップＳ３１５において、プロセッサ２１は、入力装置２３からの情報に基づいて、ステップＳ３１４の処理で表示された第２画像ＩＭＧ２を見た利用者Ｕ１により、第１パターンＰｔ１の背景が白色として認識されたか否かを判定する。
【０１０１】
入力装置２３からの情報により、利用者Ｕ１が背景を白色と認識したことが示された場合に（ステップＳ３１５の肯定判定（ＹＥＳ））、プロセッサ２１は、ステップＳ３１４の処理に戻る。そして、プロセッサ２１は、ステップＳ３１４の処理で表示された第２画像ＩＭＧ２の背景よりも明度の低い背景上に、第１幅の縁取りで囲まれた第１パターンＰｔを黒色で表す新たな第２画像ＩＭＧ２を生成し、生成した第２画像ＩＭＧ２を表示する。又は、プロセッサ２１は、ステップＳ３１４の処理で第２画像ＩＭＧ２を表示した際に用いた輝度よりも低い輝度を表示装置２４に設定し、前よりも低い輝度で同じ第２画像ＩＭＧ２を表示させる。
【０１０２】
ステップＳ３１４，Ｓ３１５の処理を繰り返す過程で、入力装置２３からの情報により、利用者Ｕ１が背景を白色でないと認識したことが示された場合に（ステップＳ３１５の否定判定（ＮＯ））、プロセッサ２１は、ステップＳ３１６の処理に進む。
【０１０３】
ステップＳ３１６において、プロセッサ２１は、白色として認識されたことが示された第２画像ＩＭＧ２のうち、最後に利用者Ｕ１に提示された第２画像ＩＭＧ２の背景の明度と第２画像ＩＭＧ２の表示に用いた光源の輝度とから、第２色を示す情報を特定する。例えば、プロセッサ２１は、第２色を示す情報の一部として、最後に利用者Ｕ１に提示された第２画像ＩＭＧ２の表示に用いた光源の輝度よりも一段階高い輝度を特定する。そして、プロセッサ２１は、特定した輝度と特定した明度とを含む第２色を示す情報を、メモリ２２に設けた保持部ＭＥＭに保持させる。その後、プロセッサ２１は、第１幅及び第２色を検出する処理を終了する。
【０１０４】
即ち、プロセッサ２１は、例えば、携帯端末装置ＵＥの初期設定処理の一つとして、以上に説明した処理を実行することで、利用者Ｕ１ごとに、縁取りとして認識されない限界の幅である第１幅と白色として認識される限界の色である第２色とを特定できる。
【０１０５】
以上に説明した処理で特定された第１幅及び第２色は、図１０に示したステップＳ３２１〜ステップＳ３２７の各処理において、表示装置２４で表示する画像に含まれる文字などの輪郭を強調する処理に用いられる。
【０１０６】
図１０に示したステップＳ３２１〜ステップＳ３２６の各処理は、例えば、図８に示した表示装置２４に文字や図形などのパターンを含む画像を表示させる毎に、プロセッサ２１によって実行される。
【０１０７】
ステップＳ３２１において、プロセッサ２１は、表示装置２４に表示させる画像に含まれる文字などのパターンと背景とのコントラストを求める。プロセッサ２１は、例えば、テキストや図表を表す画像を表示させる場合に、画像に含まれる文字や線及び図形に設定された色と背景に設定された色とを比較することで、文字などのパターンと背景とのコントラストを求める。
【０１０８】
ステップＳ３２２において、プロセッサ２１は、ステップＳ３２２の処理で求められたコントラストが、表示装置２４で表示が可能な最大のコントラストであるか否かを判定する。
【０１０９】
ステップＳ３２１の処理で求められたコントラストを示す値が、例えば、白色の背景と黒色で表された文字とのコントラストと同程度である場合に、プロセッサ２１は、文字などのパターンと背景とのコントラストは最大であると判断する。この場合に、プロセッサ２１は、ステップＳ３２２の肯定判定（ＹＥＳ）ルートの処理として、ステップＳ３２３及びステップＳ３２４の処理を実行する。
【０１１０】
ステップＳ３２３において、プロセッサ２１は、メモリ２２に設けられた保持部ＭＥＭから、保持部ＭＥＭに保持された第１幅及び第２色を示す情報を読み出す。
【０１１１】
ステップＳ３２４において、プロセッサ２１は、ステップＳ３２１の処理でコントラストを求めた画像を第３画像とし、図４で説明した処理を行うことで、第１幅の縁取りと第２色の背景とを用いて文字などの輪郭が強調された第４画像を生成する。
【０１１２】
一方、ステップＳ３２１の処理で求められたコントラストを示す値が、例えば、白色の背景と黒色で表された文字とのコントラストよりも小さい場合に、プロセッサ２１は、文字などのパターンの輪郭は従来の輪郭を強調する技術で強調できると判断する。この場合に、プロセッサ２１は、ステップＳ３２２の否定判定（ＮＯ）ルートの処理として、ステップＳ３２５の処理を実行する。
【０１１３】
ステップＳ３２５において、プロセッサ２１は、ステップＳ３２１の処理でコントラストを求めた画像を、例えば、微分フィルタなどに通すことで、画像に含まれる文字などのパターンの輪郭を強調し、輪郭が強調されたパターンを含む画像を生成する。
【０１１４】
ステップＳ３２２の肯定判定ルートの処理とステップＳ３２２の否定判定ルートの処理とは、ステップＳ３２６において合流する。
【０１１５】
ステップＳ３２６において、プロセッサ２１は、ステップＳ３２４の処理で生成された画像あるいはステップＳ３２５の処理で生成された画像を表示装置２４に渡すことで、表示装置２４に、輪郭が強調されたパターンを含む画像を表示させる。
【０１１６】
即ち、プロセッサ２１は、画像を表示する処理の過程で、ステップＳ３２１〜ステップＳ３２６の処理を実行することで、表示の対象となる画像における文字等と背景とのコントラストに応じた輪郭強調を実現することができる。
【０１１７】
ここで、利用者Ｕ１が受ける目の屈折異常等による影響は、利用者Ｕ１ごとに異なっている。したがって、ステップＳ３２１〜ステップＳ３２６の処理の過程で、利用者Ｕ１ごとに設定された第１幅及び第２色を用いることで、利用者Ｕ１の視覚の特徴に合わせて文字等の輪郭を強調することができる。
【０１１８】
つまり、図８に示した画像表示装置１０ａを有する携帯端末装置ＵＥは、表示装置２４で表示可能な最大のコントラストで文字などを表す画像についても、文字等の輪郭を強調可能であり、屈折異常などの影響を受ける利用者Ｕ１にも文字等を見やすく表示できる。
【０１１９】
図８に示した画像表示装置１０ａが有する、利用者Ｕ１の視覚の特徴にあった輪郭強調を実現可能であるという特徴は、スマートホンやタブレット型端末装置及び電子ブックリーダなどの利用する人物が特定される携帯端末装置ＵＥにおいて有用である。
【０１２０】
以上の詳細な説明により、実施形態の特徴点及び利点は明らかになるであろう。これは、特許請求の範囲が、その精神および権利範囲を逸脱しない範囲で、前述のような実施形態の特徴点および利点にまで及ぶことを意図するものである。また、当該技術分野において通常の知識を有する者であれば、あらゆる改良および変更を容易に想到できるはずである。したがって、発明性を有する実施形態の範囲を前述したものに限定する意図はなく、実施形態に開示された範囲に含まれる適当な改良物および均等物に拠ることも可能である。
【０１２１】
以上の説明に関して、更に、以下の各項を開示する。
(付記１)
互いに異なる幅の白色の縁取りで輪郭を囲まれた文字または図形である第１パターンを、白色以外の第１色の背景上にそれぞれ表す複数の第１画像の各々において、前記第１パターンの輪郭を囲む縁取りが、利用者により認識されたか否かを示す入力を受ける第１受付部と、
前記第１受付部で受けた入力により、前記縁取りが認識されないことが示された前記第１画像に含まれる縁取りのうち、他の第１画像に含まれる縁取りよりも広い縁取りの幅を第１幅として検出する第１検出部と、
前記第１幅で縁取られた前記第１パターンを互いに異なる色の背景上に表す複数の第２画像の各々において、前記第１パターンの背景が、前記利用者により白色として認識されたか否かを示す入力を受ける第２受付部と、
前記第２受付部で受けた入力により、前記背景が白色として認識されることが示された前記第２画像の背景のうち、他の第２画像の背景よりも明度が小さい背景の色を第２色として検出する第２検出部と、
白色の背景上に、黒色で文字または図形である第２パターンを表した第３画像を受け、前記第３画像を、前記第２パターンの輪郭を囲む前記第１幅の白色の縁取りを有し、前記第２色の背景を有する第４画像に変換する変換部と、
を備えたことを特徴とする画像表示装置。
(付記２)
付記１に記載の画像表示装置において、
前記第１受付部は、前記複数の第１画像を、前記第１パターンの輪郭を囲む縁取りの幅が小さい順に前記利用者に提示する第１提示部を有する
ことを特徴とする画像表示装置。
（付記３）
付記２に記載の画像表示装置において、
前記第１提示部は、前記第１パターンの背景の一部に白色を示す領域を含む画像を前記第１画像として提示する
ことを特徴とする画像表示装置。
（付記４）
付記１又は付記２に記載の画像表示装置において、
前記第２受付部は、前記複数の第２画像を、前記背景の明度が大きい順に前記利用者に提示する第２提示部を有する
ことを特徴とする画像表示装置。
（付記５）
互いに異なる幅の白色の縁取りで輪郭を囲まれた文字または図形である第１パターンを、白色以外の第１色の背景上にそれぞれ表す複数の第１画像の各々において、前記第１パターンの輪郭を囲む縁取りが、利用者により認識されたか否かを示す入力を受け、
前記受けた入力により、前記縁取りが認識されないことが示された前記第１画像に含まれる縁取りのうち、他の第１画像に含まれる縁取りよりも広い縁取りの幅を第１幅として検出し、
前記第１幅で縁取られた前記第１パターンを互いに異なる色の背景上に表す複数の第２画像の各々において、前記第１パターンの背景が、前記利用者により白色として認識されたか否かを示す入力を受け、
前記受けた入力により、前記背景が白色として認識されることが示された前記第２画像の背景のうち、他の第２画像の背景よりも明度が小さい背景の色を第２色として検出し、
白色の背景上に、黒色で文字または図形である第２パターンを表した第３画像を受け、前記第３画像を、前記第２パターンの輪郭を囲む前記第１幅の白色の縁取りを有し、前記第２色の背景を有する第４画像に変換する、
ことを特徴とする画像表示方法。
（付記６）
互いに異なる幅の白色の縁取りで輪郭を囲まれた文字または図形である第１パターンを、白色以外の第１色の背景上にそれぞれ表す複数の第１画像の各々において、前記第１パターンの輪郭を囲む縁取りが、利用者により認識されたか否かを示す入力を受け、
前記受けた入力により、前記縁取りが認識されないことが示された前記第１画像に含まれる縁取りのうち、他の第１画像に含まれる縁取りよりも広い縁取りの幅を第１幅として検出し、
前記第１幅で縁取られた前記第１パターンを互いに異なる色の背景上に表す複数の第２画像の各々において、前記第１パターンの背景が、前記利用者により白色として認識されたか否かを示す入力を受け、
前記受けた入力により、前記背景が白色として認識されることが示された前記第２画像の背景のうち、他の第２画像の背景よりも明度が小さい背景の色を第２色として検出し、
白色の背景上に、黒色で文字または図形である第２パターンを表した第３画像を受け、前記第３画像を、前記第２パターンの輪郭を囲む前記第１幅の白色の縁取りを有し、前記第２色の背景を有する第４画像に変換する、
処理をコンピュータに実行させることを特徴とする画像表示プログラム。
【符号の説明】
【０１２２】
１０，１０ａ…画像表示装置；１１，１１ａ…第１受付部；１２，１２ａ…第１検出部；１３，１３ａ…第２受付部；１４，１４ａ…第２検出部；１５，１５ａ…変換部；１１１…第１提示部；１１２…入力部；１３１…第２提示部；２１…プロセッサ；２２…メモリ；２３…入力装置；２４…表示装置；２５…ネットワークインタフェース；２６…メモリカードスロット；２７…メモリカード；ＭＥＭ…保持部；ＵＥ…携帯端末装置；ＮＷ…ネットワーク；ＳＶ…サーバ装置
【図１】
2015152859.tif 000003
【図２】
2015152859.tif 000004
【図３】
2015152859.tif 000005
【図４】
2015152859.tif 000006
【図５】
2015152859.tif 000007
【図６】
2015152859.tif 000008
【図７】
2015152859.tif 000009
【図８】
2015152859.tif 000010
【図９】
2015152859.tif 000011
【図１０】
2015152859.tif 000012